(57)【要約】      （修正有）【課題】被験者が簡便な検査によって日常的に自己の健康状態を知り得る健康管理システムを提供する。【解決手段】健康管理システム１００は、便中の血液を検査する便検査ユニット６、尿を検査する尿検査ユニット７、及び唾液を検査する唾液検査ユニット８が腰掛式水洗便器１に設けられている。制御ユニット９が、各検査ユニットから受信した検査データをスマートフォン１０に近距離無線通信で送信する。スマートフォンは、検査データを分析及び／又は診断のために送信し、その分析及び／又は診断結果を受信するために、インターネット１１を通して外部装置１２と通信可能である。【選択図】図１
0003235574.tif 000002
【実用新案登録請求の範囲】
【請求項１】
腰掛式水洗便器に設けられ、前記便器内に被験者が排泄する便中の血液を検査する便検査ユニットと、
前記腰掛式水洗便器に設けられ、前記便器内に被験者が排泄する尿を検査する尿検査ユニットと、
前記腰掛式水洗便器に設けられ、前記便器内に被験者が排出する唾液を検査する唾液検査ユニットと、
前記便検査ユニット、前記尿検査ユニット及び前記唾液検査ユニットの動作を制御し、前記各ユニットからの検査データを受信する制御ユニットと、
前記制御ユニットと無線通信して、前記検査データを受信するモバイル通信装置とを備え、
前記モバイル通信装置は、前記検査データを分析及び／又は診断のために送信し、その分析及び／又は診断結果を受信するために外部装置と通信可能である、ことを特徴とする健康管理システム。
【請求項２】
前記便検査ユニットは、血液の存在を抽出するのに有効な所定波長範囲の光を前記便器内の便に照射する照明ランプと、前記便からの反射光を撮像するカラーカメラとを有し、前記カラーカメラが撮像したＲＧＢ表色系の画像データをそのまま検査データとして出力することを特徴とする請求項１に記載の健康管理システム。
【請求項３】
前記尿検査ユニットは、作用極、対極及び参照極からなる尿糖センサー部と温度センサー部とを有する尿糖センサーであり、被検者の尿によって前記尿糖センサー部に生じる酸化電流値及び前記温度センサー部に生じる電流値（抵抗値）をそのまま検査データとして出力することを特徴とする請求項１又は２に記載の健康管理システム。
【請求項４】
前記尿検査ユニットは、ＩＳＦＥＴ（電界効果トランジスター型イオンセンサー）基体を有するｐＨセンサーであり、被検者の尿によって前記ＩＳＦＥＴ基体の表面に生じる界面電位をそのまま検査データとして出力することを特徴とする請求項１乃至３のいずれかに記載の健康管理システム。
【請求項５】
前記唾液検査ユニットは、ＩＳＦＥＴ（電界効果トランジスター型イオンセンサー）基体を有するｐＨセンサーであり、被検者の尿によって前記ＩＳＦＥＴ基体の表面に生じる界面電位をそのまま検査データとして出力することを特徴とする請求項１乃至４のいずれかに記載の健康管理システム。
【請求項６】
前記制御ユニットと前記モバイル通信装置とは近距離無線通信することを特徴とする請求項１乃至５のいずれかに記載の健康管理システム。
【請求項７】
前記外部装置を更に備え、前記外部装置は、医師、医療機関及び／又は分析機関の端末装置又はサーバーであることを特徴とする請求項１乃至６のいずれかに記載の健康管理システム。
【請求項８】
前記モバイル通信装置はスマートフォンであることを特徴とする請求項１乃至７のいずれかに記載の健康管理システム。
【請求項９】
前記腰掛式水洗便器を更に備えることを特徴とする請求項１乃至８のいずれかに記載の健康管理システム。
【考案の詳細な説明】
【技術分野】
【０００１】
本考案は、人の身体排出物を検査することによって、人の健康状態を把握し管理する健康管理システムに関する。
【背景技術】
【０００２】
従来、人の健康状態を診断するために、人の身体排出物である便、尿、唾液等を検査分析する様々な装置や方法が提案されている。
【０００３】
例えば、便器内に排泄された便からの光を光センサで受信し、その受信光を分析して特定のスペクトルバンドを検出することによって、潜便血即ち便内の血液の存在を決定する装置及び方法が知られている（例えば、特許文献１を参照）。
【０００４】
また、試料として血液、唾液、尿等の体液をチップに導入し、検出試薬と反応させて得られた産物を光学的方法等で定量することによって、試料中の特定成分の量を測定する測定ユニットが知られている（例えば、特許文献２を参照）。
【０００５】
同様に、血液、尿、唾液等の体液のデータを測定し、それと血液に関するデータとの相関関係から生活習慣病等を判定する装置及びシステムが提案されている（例えば、特許文献３を参照）。この装置では、唾液測定器として、市販のｐＨ測定器や酸化還元電位測定器等が採用されている。
【０００６】
更に、温水洗浄便座装置内に設けた検査装置により、試験紙に滴下した尿を光学的に認知し、デジタル化した検査結果を生成してインターネットを介して病院の端末装置に送る健康管理システムが提案されている（例えば、特許文献４を参照）。
【先行技術文献】
【特許文献】
【０００７】
【特許文献１】特表２０１９−５３０８５８号公報
【特許文献２】国際公開ＷＯ２００５−２４４３７
【特許文献３】特開２０１４−１３００９６号公報
【特許文献４】特開２００８−２１６１６６号公報
【考案の概要】
【考案が解決しようとする課題】
【０００８】
しかしながら、特許文献２に記載される従来の測定ユニットは、利用者が試料を採取してチップに導入し、検出試薬と反応させて移動端末にセットしなければならない。検査の都度、利用者自身が面倒な手作業を行なわなければならず、多大な負担になる、という問題がある。
【０００９】
特許文献３に記載のシステムは、生活習慣病判定支援装置が、唾液測定器から唾液データを取得し、予め装置内に格納している唾液中の成分と血液中の成分との相関データに基づいて生活習慣病を判定し、判定結果等の管理データを外部の情報処理装置やスマートフォン等に出力するなど、多くの機能を備えている。その結果、装置の構成が大掛かりで複雑になるから、家庭内に設置したり、個人が日常的に利用することは困難である。
【００１０】
特許文献４に記載のシステムは、被験者がトイレ空間内で試験紙に尿を滴下し、それを温水洗浄便座装置内の検査装置に収容することによって、検査が行なわれ、検査結果は、被験者が温水洗浄便座装置の操作ボタンを操作することによって、病院の端末装置に伝送される。被験者には検査の都度、トイレ空間内で面倒な作業及び操作が要求される、という問題がある。
【００１１】
そこで、本考案の目的は、被験者が簡便に検査を行うことができ、それによって日常的に自己の健康状態を知ることができる健康管理システムを提供することにある。
【課題を解決するための手段】
【００１２】
本考案の健康管理システムは、腰掛式水洗便器に設けられ、前記便器内に被験者が排泄する便中の血液を検査する便検査ユニットと、
前記腰掛式水洗便器に設けられ、前記便器内に被験者が排泄する尿を検査する尿検査ユニットと、
前記腰掛式水洗便器に設けられ、前記便器内に被験者が排出する唾液を検査する唾液検査ユニットと、
前記便検査ユニット、前記尿検査ユニット及び前記唾液検査ユニットの動作を制御し、前記各ユニットからの検査データを受信する制御ユニットと、
前記制御ユニットと無線通信して、前記検査データを受信するモバイル通信装置とを備え、
前記モバイル通信装置は、前記検査データを分析及び／又は診断のために送信し、その分析及び／又は診断結果を受信するために外部装置と通信可能であることを特徴とする。
【考案の効果】
【００１３】
本考案の健康管理システムによれば、被験者は、便器に設けられた便検査ユニット、尿検査ユニット及び唾液検査ユニットを使用することによって、自宅においても、自分自身で簡便に検査を行うことができ、日常的に自己の健康状態を知ることができる。
【図面の簡単な説明】
【００１４】
【図１】本考案による健康管理システムの好適な実施形態の構成全体を示す説明図。
【図２】便検査ユニットの好適な実施形態を示す説明図。
【図３】（ａ）図は、尿検査ユニット及び唾液検査ユニットの好適な実施形態を示す便器の部分平面図、（ｂ）図は（ａ）図のＢ−Ｂ線における拡大断面図、（ｃ）図は（ａ）図のＣ−Ｃ線における拡大断面図。
【図４】図１の健康管理システムの機能ブロック図。
【考案を実施するための形態】
【００１５】
以下に、添付図面を参照しつつ、本考案をその好適な実施態様に基づいて詳細に説明する。添付図面において、同一又は類似の構成要素には、同一又は類似の参照符号を付して表すものとする。
【００１６】
図１は、本発明による健康管理システムの構成全体を概略的に示している。本実施形態の健康管理システム１００は、被験者が、自己の身体排出物の検査を自分自身で行い、その検査結果を専門家が分析し、医師等が診断した結果を被験者に戻すように構成されている。本実施形態では、被験者がトイレ内で便器に排泄する大便（便）と尿、及び唾液を身体排出物として利用する。
【００１７】
健康管理システム１００は、温水洗浄機能を有する腰掛式水洗便器１を備える。便器１は、ボウル部２と、その開口上縁部２ａの後部に設けられた便座基部３と、便座基部３に開閉自在に取り付けられた便座４とを備える。便座基部３には、リモコン操作パネル（図示せず）で操作される公知の温水洗浄機構が設けられている。尚、便器１は、開閉可能な蓋を便座４の上に有するが、図面を簡単化するために省略している。本実施形態では、便座基部３がボウル部２と一体に形成されているが、別の実施形態では、便座基部３と便座４とからなる温水洗浄便座装置を便器１とは別体に、ボウル部２の開口上縁部２ａの後部に着脱可能に構成することができる。
【００１８】
便器１には、便検査ユニット６と、尿検査ユニット７と、唾液検査ユニット８とからなる検査部が一体に設けられている。便検査ユニット６、尿検査ユニット７及び唾液検査ユニット８は、例えばトイレ内の壁面に設置された制御ユニット９によって、使用者がリモコン操作し制御することができる。そのために、制御ユニット９には、複数の操作スイッチ９ａが設けられている。制御ユニット９は、前記温水洗浄機構の操作パネルと共通のハウジング内に一体に構成することもできる。
【００１９】
健康管理システム１００は更に、制御ユニット９と近距離無線通信（赤外線通信、ブルートゥース（登録商標）等）で無線通信可能なモバイル通信装置を含んでいる。前記モバイル通信装置には、市販のスマートフォンやタブレットＰＣ、ノートＰＣが好ましい。スマートフォン１０は、携帯電話回線を使用してインターネット１１を介して外部装置１２と通信可能に接続される。外部装置１２には、被検者のかかりつけ医等の医師、病院等の医療機関、及び検査データの分析機関の端末装及び／又はサーバーである医師装置１３、医療機関装置１４、及び分析機関装置１５が含まれる。健康管理システム１００は、これらの外部装置１２を含むように構成することができる。
【００２０】
図２は、便検査ユニット６の構成を具体的に示している。便検査ユニット６は、便座基部３に内蔵するカラーカメラ１６と照明ランプ１７とを有する。便座基部３には、ボウル部２の内側を向いた内側面３ａに、前記温水洗浄機構の洗浄ノズルを出し入れする開口部１８ａとそのための開閉蓋１８ｂが、左右の中央位置に設けられている。カラーカメラ１６は、開口部１８ａに関して一方の側（図中左側）に配置され、他方の側（図中右側）に照明ランプ１７が配置されている。
【００２１】
便座基部３の内側面３ａには、開口部１８ａに関して図中左側に、カラーカメラ１６用の開口部２０ａとその開閉蓋２０ｂとが設けられている。カラーカメラ１６は、開口部２０ａを通してボウル部２の内側へ出入可能なレンズ筒部２１を有し、その下面には、撮像レンズ２２が、ボウル部２中央の溜水部２３に向けて装着されている。照明ランプ１７は、ボウル部２の溜水部２３を照明するように配向されている。これによって、照明ランプ１７から発せられた光Ｌｉを、確実に溜水部２３内の便Ｆに照射し、その反射光Ｌｒをカラーカメラ１６の撮像レンズ２２を通して捉えることができる。
【００２２】
本実施形態において、照明ランプ１７は、血液、特にヘモグロビンの存在を抽出するのに有効な波長範囲の光を照射するように構成される。例えば、赤色域（６００〜７００ｎｍ）の可視光線及び近赤外域（８００〜２５００ｎｍ）の赤外線、特に６６０ｎｍ、８０５ｎｍ、８８０ｎｍの波長を中心とする狭帯域が、ヘモグロビンの存在を抽出するのに有効であることはよく知られている。
【００２３】
カラーカメラ１６の光学素子には、ＣＣＤ又はＣＭＯＳセンサーを使用することができる。カラーカメラ１６は、便Ｆからの反射光ＬｒをＲＧＢ表色系の画像データとして検出し、そのまま出力する。前記検査部は、制御ユニット９とインターフェースする、便検査ユニット６、尿検査ユニット７及び唾液検査ユニット８に共通の入出力部２４を便座基部３内に備えている。カラーカメラ１６から出力されたＲＧＢ画像データは、そのまま入出力部２４を介して制御ユニット９に送られる。
【００２４】
後述するように、制御ユニット９に送られた前記ＲＧＢ画像データは、スマートフォン１０によってインターネット１１を通して外部装置１２に送られ、分析機関装置１５又は医療機関装置１４でＸＹＺ系、Ｌ＊ａ＊ｂ＊系等の表色系に変換される。この変換によって、カラーカメラ１６から出力されたＲＧＢ系のカラー画像から、ヘモグロビンの存在を有効に判定することができる。
【００２５】
別の実施形態では、照明ランプ１７が白色光を照射し、カラーカメラ１６には、白色光の反射光から血液、特にヘモグロビンの存在を抽出するのに有効な波長帯域を受光するのに適した光学素子を配置する。例えば、６６０ｎｍ、８０５ｎｍ、８８０ｎｍの波長を中心とする３つの狭帯域を受光する場合、それぞれに適した３つの光学素子を配置する。この場合も同様に、各光学素子から出力される光強度は、検査データとしてそのまま入出力部２４と制御ユニット９を介してスマートフォン１０から外部装置１２に送られる。
【００２６】
図３は、尿検査ユニット７及び唾液検査ユニット８の構成を具体的に示している。図３（ａ）に示すように、ボウル部２の溜水部２３より前方のボウル内面２ｂ上に、ｐＨ測定器２７と尿糖値測定器２８とが設けられている。ｐＨ測定器２７は、尿検査ユニット７と唾液検査ユニット８とを兼用し、尿糖値測定器２８は尿検査ユニット７としてのみ使用される。
【００２７】
ｐＨ測定器２７は、例えば電界効果トランジスターを利用した公知のｐＨセンサーであり、図３（ｂ）に示すように、ＩＳＦＥＴ（電界効果トランジスター型イオンセンサー）基体３１を有する。ＩＳＦＥＴ基体３１には、その上面周縁に段差部３２が一体に設けられ、その内側にＩＳＦＥＴ基体３１上面の中央部を露出させた検査用のウエル３３を形成している。ウエル３３内に露出するＩＳＦＥＴ基体３１上面部分は、その中に供給される検体のｐＨに依存した界面電位を生じさせる絶縁性イオン感応部を構成する。
【００２８】
ＩＳＦＥＴ基体３１は、配線３４によって前記検査部の入出力部２４に電気的に接続されている。検体Ｓ１として、被検者の尿又は唾液がウエル３３内に溜まると、それによって前記絶縁性イオン感応部に生じる界面電位が測定されて出力され、そのまま入出力部２４を介して制御ユニット９に送られる。
【００２９】
尿糖値測定器２８は、従来公知の尿糖センサーであり、図３（ｃ）に示すように、絶縁性基板４１の上面に配置された尿糖センサー部４２と温度センサー部４３とを有する。絶縁性基板４１上面は、尿糖センサー４２部及び温度センサー部４３より外側の周縁に段差部４４が一体に設けられ、その内側に尿糖センサー部４２及び温度センサー部４３が露出する検査用のウエル４５を形成している。尿糖センサー部４２は、例えば作用極と対極と参照極とからなる公知の３極式センサー構造を有する。温度センサー部４３は、例えば測温抵抗体として形成される白金薄膜からなるサーミスタである。
【００３０】
尿糖センサー４２及び温度センサー４３は、それぞれ配線４６，４７によって前記検査部の入出力部２４に電気的に接続されている。検体Ｓ２として、被検者の尿がウエル４５内に溜まると、尿糖センサー部４２が、尿濃度に換算可能な酸化電流値を測定し、かつ温度センサー部４３が、尿温度に換算可能な電流値（抵抗値）を測定し、それぞれ配線４６，４７を介してそのまま入出力部２４に出力し、制御ユニット９に送る。
【００３１】
通常、ボウル内面２ｂに露出するｐＨ測定器２７及び尿糖値測定器２８は、便器１が元々備える水洗機能を用いて洗浄することができる。別の実施形態では、ｐＨ測定器２７及び尿糖値測定器２８を洗浄するために、別個のセンサー洗浄構造３６を便器１のボウル部２に設けることができる。センサー洗浄構造３６は、図３（ａ）に示すように、ボウル内面２ｂの前端付近に開口する液射出口３７と、図示しない液供給源から洗浄液Ｗを液射出口３７に供給するための配管３８とを有する。同図において、液射出口３７は、左右の中央位置に１つだけ設けられているが、その数及び配置は、検査後のｐＨ測定器２７及び尿糖値測定器２８のウエル３３、４５から検体Ｓ１，Ｓ２を完全に洗い流せるように、適当に設定することができる。
【００３２】
別の実施形態では、唾液検査ユニット８として、ｐＨ測定器２７と尿糖値測定器２８に加えて、又はそのいずれか一方に代えて、酸化還元電位測定器を用いることができる。酸化還元電位測定器は、従来様々なタイプや構造のものが市販されているが、特に検体（液体）に接する作用極と参照電極とを一体化した電極構造を有するものは、ｐＨ測定器２７及び尿糖値測定器２８と同様に、ボウル内面２ａに装着した状態で検査毎に洗浄することによって、繰り返し使用可能であるので、好都合である。
【００３３】
図４は、健康管理システム１００を構成する前記検査部、制御ユニット９及びスマートフォン１０間の機能的な相互関係を示している。同図に示すように、制御ユニット９は、被検者（又は被検者に代わる使用者）によって操作されるスイッチ部５１と、前記検査部とインターフェースする入出力部５２と、記憶部５３と、通信部５４と、ＣＰＵ等からなる制御部５５とを備える。
【００３４】
通信部５４とスマートフォン１０間で行う近距離無線通信は、比較的低コストなことに加えて、消費電力が少なくて済み、制御ユニット９の電源として電池で長時間の使用が可能なことから、好都合である。更に、通信距離範囲が短いことによって、便器１が設置されたトイレから離れた位置で、第三者が制御ユニット９とスマートフォン１０間の通信内容を盗聴する可能性も低く、有利である。
【００３５】
入出力部５２は、前記検査部の入出力部２４に有線又は無線で通信可能に接続される。有線の場合、入出力部５２と入出力部２４間を配線することで、設置作業上の面倒やスペース上の問題を生じる虞があるものの、双方間での通信の確実性、秘密秘匿性を確保することができる。また、制御ユニット９を便器１に直接又はその直近に付設することによって、スペース上の問題は解消し得る。無線の場合には、それぞれの入出力部２４，５２に無線通信機能をもたせなければならない。この場合、近距離無線通信を採用することによって、制御ユニット９は通信部５４を利用できるので好都合である。
【００３６】
記憶部５３は、前記検査部から入力する検査データを少なくとも一時的に記憶する。記憶部５３には、ＳＤメモリーカードやＣＦ（コンパクトフラッシュ（登録商標））等の着脱自在なメモリーカードを記憶媒体として使用することができる。また、前記検査データは、検査を行った被検者と関連付けして記憶させることが好ましい。
【００３７】
前記検査部は、便検査ユニット６、尿検査ユニット７及び唾液検査ユニット８から出力される検査データを保存することなく、そのまま入出力部２４から制御ユニット９に送信するように構成されている。これにより、前記検査部の構成をより簡単にかつ消費電力をより少なくすることができる。
【００３８】
便検査ユニット６のカラーカメラ１６並びに照明ランプ１７、ｐＨ測定器２７、及び尿糖値測定器２８のオンオフは、入出力部２４を介して入力する制御ユニット９即ち制御部５５からの信号によって制御される。便検査ユニット６は、カラーカメラ１６のレンズ筒部２１を便座基部３から出し入れするための駆動部２５を更に備える。駆動部２５は、例えばソレノイドや小型電動モーターによって構成することができ、制御ユニット９の信号によってレンズ筒部２１を出し入れするように作動する。
【００３９】
スイッチ部５１は、被検者（又は被検者に代わる使用者）によって操作される複数のスイッチ９ａを設けた操作パネルで構成される。複数のスイッチ９ａには、制御ユニット９自体をオンオフする電源スイッチと、便検査ユニット６、尿検査ユニット７及び唾液検査ユニット８のいずれによる検査を行うのかを選択する検査スイッチとが含まれる。また、本実施形態では、尿検査ユニット７がｐＨ測定器２７及び尿糖値測定器２８を含んでいるので、それらを別々に選択できるように検査スイッチを設けることができる。
【００４０】
被検者（又は使用者）が、前記電源スイッチを操作して制御ユニット９をオンした後、便検査ユニット６を選択して、対応する前記検査スイッチを操作すると、制御部５５は、入出力部５２，２４を介して便検査ユニット６に信号を出力する。これによって、駆動部２５が作動して、レンズ筒部２１を便座基部３からボウル部２内へ突出させると同時に、照明ランプ１７を点灯させ、カラーカメラ１６を作動させて、溜水部２３内の便Ｆからの反射光を撮像する。カラーカメラ１６が撮像した画像データは、ＲＧＢデータのまま、入出力部２４，５２を介して制御ユニット９に送信され、記憶部５３に保存される。
【００４１】
被検者（又は使用者）が尿検査ユニット７を選択した場合、対応する前記検査スイッチが操作されると、制御部５５は、入出力部５２，２４を介して尿検査ユニット７に信号を出力する。これによって、ｐＨ測定器２７及び尿糖値測定器２８は、それぞれ測定可能なオン状態となる。被検者がボウル内面２ｂに排泄した尿がウエル３３、４５内に入ると、ｐＨ測定器２７は、前記絶縁性イオン感応部に生じた界面電位を測定して、そのまま検査データとして入出力部２４を介して制御ユニット９に送る。尿糖値測定器２８は、尿糖センサー部４２及び温度センサー部４３が尿濃度及び尿温度を測定し、それぞれそのまま検査データとして入出力部２４を介して制御ユニット９に送る。制御ユニット９は、ｐＨ測定器２７及び尿糖値測定器２８から入手した前記検査データをそのまま記憶部５３に保存する。
【００４２】
被検者（又は使用者）が唾液検査ユニット８を選択した場合、対応する前記検査スイッチが操作されると、制御部５５は、入出力部５２，２４を介して唾液検査ユニット８に信号を出力する。これによって、ｐＨ測定器２７が測定可能なオン状態となる。被検者が唾液をｐＨ測定器２７のウエル３３内に排出すると、前記絶縁性イオン感応部に生じた界面電位が測定されて、そのまま検査データとして入出力部２４を介して制御ユニット９に送られ、記憶部５３に保存される。
【００４３】
スマートフォン１０は、モバイル通信機器として市販されている様々なタイプのものを使用することができる。図４に示すように、スマートフォン１０は、ＣＰＵ、ＲＯＭ、ＲＡＭ等からなる制御部６１、記憶部６２、通信部６３、入力部６４、及び表示パネル６５を備える。通信部６３は、制御ユニット９と近距離無線通信で双方向に無線通信すると共に、図１に示すように、携帯電話回線を通じてインターネット１１に接続され、外部装置１２と双方向に通信することができる。
【００４４】
制御部６１は、使用者が入力部６４を通して行う指示に従って、通信部６３を介して制御ユニット９と通信し、その記憶部５３に保存されている前記検査データをスマートフォン１０に転送させる。前記検査データには、それに係る検査の実行日時等の書誌データが含まれるが、被験者の個人データは含まない。スマートフォン１０に転送された前記検査データは、その記憶部６２に保存される。使用者が更に入力部６４を操作して指示することによって、制御部６１は、通信部６３を介してインターネット１１に接続し、外部装置１２と通信して、記憶部６２に保存されている前記検査データを転送する。
【００４５】
前記検査データを受信した分析機関装置１５は、前記検査データを変換処理して、医師又は医療機関による診断が可能な分析データにする。例えば、便検査ユニット６から出力されたＲＧＢ画像データは、ＸＹＺ系、Ｌ＊ａ＊ｂ＊系等の表色系の分析データに加工される。ｐＨ測定器２７から出力された界面電位は、それに対応するｐＨ値の分析データに変換される。尿糖値測定器２８から出力された酸化電流値は、所定の演算処理によって尿糖値に換算され、同時に出力された電流値（抵抗値）から換算される尿温度を用いて補正処理して、分析データに変換する。
【００４６】
このようにして得られた分析データは、医師装置１３及び／又は医療機関装置１４に送られ、医師による診断が行われる。その診断結果は、診断データとして前記分析データと共に、医師装置１３及び／又は医療機関装置１４からインターネット１１を通してスマートフォン１０に送信される。被検者は、スマートフォン１０の表示パネル６５に表示される診断結果及び分析データを見て、自己の健康状態を知ることができる。
【００４７】
上述したスマートフォン１０における一連の処理は、予め記憶部６２にインストールされているアプリケーション（プロクラム）に従って実行することができる。従って、被検者は、自宅に居るままで、本考案の健康管理システム１００を利用して、日常的に自己の健康状態を容易に知ることができる。しかも、便器１に装備する各検査ユニットは、検出したデータを換算、演算、補正する等の処理をする必要が無く、その構成を必要最小限にできるので、システム全体を簡単にかつ低コストに構成することができる。
【００４８】
別の実施形態では、便検査ユニット６、尿検査ユニット７又は唾液検査ユニット８のいずれか又は複数を、従来の温水洗浄便器に外付けするように構成することができる。例えば、便検査ユニットは、カメラの入光部及び照明ランプを便器のボウル部の上縁部と便座との隙間に配置することができる。尿検査ユニット７及び唾液検査ユニット８は、センサーを従来の便器のボウル面に接着し、センサーからの配線及び洗浄用の配管をボウル部の上縁部を越えて取り付けることができる。
【００４９】
以上、本考案を好適な実施態様に関連して説明したが、本考案は上記実施態様に限定されるものでなく、その技術的範囲において、様々な変更又は変形を加えて実施し得ることは言うまでもない。
【符号の説明】
【００５０】
１      便器
６      便検査ユニット
７      尿検査ユニット
８      唾液検査ユニット
９      制御ユニット
１０    スマートフォン
１２    外部装置
１６    カラーカメラ
１７    照明ランプ
２７    ｐＨ測定器
２８    尿糖値測定器
１００  健康管理システム
【図１】
0003235574.tif 000003
【図２】
0003235574.tif 000004
【図３】
0003235574.tif 000005
【図４】
0003235574.tif 000006